【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
狭窄を拡張または強化するように構成された医療デバイスであって、
中心導管区分と、
少なくとも１つの係留区分と、
前記導管区分と前記少なくとも１つの係留区分との間に位置付けられた少なくとも１つの遷移区分と
を備える、デバイス。
【請求項２】
前記デバイスは、２つの係留区分と、２つの遷移区分とを備え、各遷移区分は、前記導管区分と前記係留区分のうちの１つとの間に位置付けられる、請求項１に記載のデバイス。
【請求項３】
前記導管区分、前記少なくとも１つの遷移区分、および前記少なくとも１つの係留区分のそれぞれは、内部管腔と、支持外壁とを有する略円筒形構造を形成するように構成されている、請求項１〜２のいずれかに記載のデバイス。
【請求項４】
前記支持壁の少なくとも一部は、開口部を有するメッシュとして構成されている、請求項３に記載のデバイス。
【請求項５】
前記デバイスの少なくとも１つの区分は、
（ｉ）前記デバイスの長手方向軸に沿って実質的に一定である第１の外径を有する第１の構成であって、前記第１の外径は、前記構造が狭窄内に挿入されることを可能にする、第１の構成と、
（ｉｉ）前記デバイスの少なくとも１つの区分が前記第１の外径より大きい第２の外径を有する第２の構成と
の少なくとも２つの構成をとることができる、請求項１〜４のいずれかに記載のデバイス。
【請求項６】
係留フックをさらに備える、請求項１〜５のいずれかに記載のデバイス。
【請求項７】
リビングヒンジをさらに備える、請求項１〜６のいずれかに記載のデバイス。
【請求項８】
前記リビングヒンジは、Ｓ−ヒンジ、アイレットヒンジ、またはトラフヒンジを備える、請求項７に記載のデバイス。
【請求項９】
第１の構成から第２の構成への展開は、前記デバイスの最小管腔直径を増加させる、請求項１〜８のいずれかに記載のデバイス。
【請求項１０】
第１の構成から第２の構成への展開は、前記デバイスの長さを減少させる、請求項１〜９のいずれかに記載のデバイス。
【請求項１１】
係留フックは、異なる長手方向点において前記デバイスへの取付部を備える、請求項１〜１０のいずれかに記載のデバイス。
【請求項１２】
狭窄の処置のための医療デバイスであって、
前記デバイスの第１の略円筒形構成と、
前記デバイスの円筒形長さに沿った少なくとも１つの領域が初期円筒面から拡張される、前記デバイスの第２の構成と
を含む少なくとも２つの構成をとることができる、デバイス。
【請求項１３】
第１、第２、第３、第４および第５の長手方向領域を備えるように構成され、
前記第１および第５の領域は、前記デバイスの端部に位置付けられ、前記係留区分として機能する係留フックを備え、
前記第３の領域は、前記デバイスの中央に位置付けられ、前記導管区分として機能し、
前記第２および第４の領域は、遷移区分を備え、前記第２の領域は、前記第１の領域と前記第３の領域との間に位置付けられ、前記第４の領域は、前記第３の領域と前記第５の領域との間に位置付けられる、
請求項１〜１２のいずれかに記載のデバイス。
【請求項１４】
請求項１〜１３のいずれかに記載のデバイスを前記狭窄の中に外科的に留置するための手段を含む、狭窄を処置するためのシステム。
【請求項１５】
前記デバイスを前記第１の構成から前記第２の構成に展開するための手段をさらに含む、請求項１４に記載のシステム。
【請求項１６】
狭窄を処置するために医療ステントデバイスを使用するためのシステムであって、
第１の外径を有する第１の構成において、前記デバイスを前記狭窄の中に留置するための手段であって、前記第１の外径は、前記長手方向軸に沿って比較的に一定であり、前記構造が前記狭窄内に挿入されることを可能にする、手段と、
前記デバイスを定位置に固着させるように、前記第１の外径より大きい第２の外径を有する第２の構成に前記デバイスを展開するための手段と
を含む、システム。
【請求項１７】
前記デバイスを第１の構成から第２の構成に展開することの結果として、前記デバイスの端部に位置付けられた係留フックが展開される、請求項１４〜１６のいずれかに記載のシステム。
【請求項１８】
前記展開された係留フックと、前記狭窄と関連付けられた組織との間の接触は、前記デバイスを前記狭窄内に固着させるように、抵抗を提供する、請求項１４〜１７のいずれかに記載のシステム。
【請求項１９】
前記デバイスは、内臓吻合部狭窄内に埋め込まれることにより、前記狭窄を拡張または強化する、請求項１４〜１８のいずれかに記載のシステム。
【請求項２０】
前記デバイスは、血管入口部高度狭窄内に埋め込まれることにより、前記狭窄を拡張または強化する、請求項１４〜１９のいずれかに記載のシステム。
【手続補正２】
【補正対象書類名】明細書
【補正対象項目名】００１０
【補正方法】変更
【補正の内容】
【００１０】
本開示を用いて提供される例証的実施例は、読者に本明細書に議論される一般的主題を紹介するために与えられ、開示される概念の範囲を限定することを意図するものではない。以下の節は、同様の番号が同様の要素を示す図面を参照して、種々の付加的特徴および実施例を説明し、方向の説明は、例証的実施例を説明するために使用され、例証的実施例と同様に、本開示を限定するために使用されるべきではない。
本発明は、例えば、以下を提供する。
（項目１）
狭窄を拡張または強化するように構成された医療デバイスであって、
中心導管区分と、
少なくとも１つの係留区分と、
前記導管区分と前記少なくとも１つの係留区分との間に位置付けられた少なくとも１つの遷移区分と
を備える、デバイス。
（項目２）
前記デバイスは、２つの係留区分と、２つの遷移区分とを備え、各遷移区分は、前記導管区分と前記係留区分のうちの１つとの間に位置付けられる、項目１に記載のデバイス。
（項目３）
前記導管区分、前記少なくとも１つの遷移区分、および前記少なくとも１つの係留区分のそれぞれは、内部管腔と、支持外壁とを有する略円筒形構造を形成するように構成されている、前記項目のいずれかに記載のデバイス。
（項目４）
前記支持壁の少なくとも一部は、開口部を有するメッシュとして構成されている、項目３に記載のデバイス。
（項目５）
前記デバイスの少なくとも１つの区分は、
（ｉ）前記デバイスの長手方向軸に沿って実質的に一定である第１の外径を有する第１の構成であって、前記第１の外径は、前記構造が狭窄内に挿入されることを可能にする、第１の構成と、
（ｉｉ）前記デバイスの少なくとも１つの区分が前記第１の外径より大きい第２の外径を有する第２の構成と
の少なくとも２つの構成をとることができる、前記項目のいずれかに記載のデバイス。
（項目６）
係留フックをさらに備える、前記項目のいずれかに記載のデバイス。
（項目７）
リビングヒンジをさらに備える、前記項目のいずれかに記載のデバイス。
（項目８）
前記リビングヒンジは、Ｓ−ヒンジ、アイレットヒンジ、またはトラフヒンジを備える、項目７に記載のデバイス。
（項目９）
第１の構成から第２の構成への展開は、前記デバイスの最小管腔直径を増加させる、前記項目のいずれかに記載のデバイス。
（項目１０）
第１の構成から第２の構成への展開は、前記デバイスの長さを減少させる、前記項目のいずれかに記載のデバイス。
（項目１１）
係留フックは、異なる長手方向点において前記デバイスへの取付部を備える、前記項目のいずれかに記載のデバイス。
（項目１２）
狭窄の処置のための医療デバイスであって、
前記デバイスの第１の略円筒形構成と、
前記デバイスの円筒形長さに沿った少なくとも１つの領域が初期円筒面から拡張される、前記デバイスの第２の構成と
を含む少なくとも２つの構成をとることができる、デバイス。
（項目１３）
第１、第２、第３、第４および第５の長手方向領域を備えるように構成され、
前記第１および第５の領域は、前記デバイスの端部に位置付けられ、前記係留区分として機能する係留フックを備え、
前記第３の領域は、前記デバイスの中央に位置付けられ、前記導管区分として機能し、
前記第２および第４の領域は、遷移区分を備え、前記第２の領域は、前記第１の領域と前記第３の領域との間に位置付けられ、前記第４の領域は、前記第３の領域と前記第５の領域との間に位置付けられる、
前記項目のいずれかに記載のデバイス。
（項目１４）
前記項目のいずれかに記載のデバイスを前記狭窄の中に外科的に留置することを含む、狭窄を処置するための方法。
（項目１５）
前記デバイスを外科的に留置することは、前記デバイスを前記第１の構成から前記第２の構成に展開することを含む、項目１４に記載の方法。
（項目１６）
狭窄を処置するために医療ステントデバイスを使用する方法であって、
第１の外径を有する第１の構成において、前記デバイスを前記狭窄の中に留置することであって、前記第１の外径は、前記長手方向軸に沿って比較的に一定であり、前記構造が前記狭窄内に挿入されることを可能にする、ことと、
前記デバイスを定位置に固着させるように、前記第１の外径より大きい第２の外径を有する第２の構成に前記デバイスを展開することと
を含む、方法。
（項目１７）
前記デバイスを第１の構成から第２の構成に展開することは、前記デバイスの端部に位置付けられた係留フックの展開をもたらす、項目１４−１６のいずれかに記載の方法。
（項目１８）
前記展開された係留フックと前記狭窄と関連付けられた組織との間の接触は、前記デバイスを前記狭窄内に固着させるように、抵抗を提供する、項目１４−１７のいずれかに記載の方法。
（項目１９）
前記デバイスは、内臓吻合部狭窄内に埋め込まれることにより、前記狭窄を拡張または強化する、項目１４−１８のいずれかに記載の方法。
（項目２０）
前記デバイスは、血管入口部高度狭窄内に埋め込まれることにより、前記狭窄を拡張または強化する、項目１４−１９のいずれかに記載の方法。